(57)【要約】      （修正有）【課題】複数のファンモジュールのそれぞれが起動する温度に差をつけることによって、ファンモジュールの複数同時起動に伴うエラーを回避するとともに、節電も可能なファンシステム及びサーモ起動モジュールを提供する。【解決手段】ファンシステム２は第一、第二ファンモジュール２１ａ、２１ｂ、第一、第二起動モジュール２２ａ、２２ｂ、サーモエレメント２４及び第一コントロールモジュール２３ａを備える。第一起動モジュール２２ａは外部からの入力電圧９１を受けて第一ファンモジュール２１ａを起動させ、第二起動モジュール２２ｂは当該入力電圧９１を受けるとともに、第二ファンモジュール２１ｂに電気的に接続される。また、サーモエレメント２４は温度を感知してセンサー信号を発生させ、第一コントロールモジュール２３ａは、このセンサー信号によって第二起動モジュール２２ｂをコントロールして、ファンモジュール２１ｂを起動させる。【選択図】図３
2007134723.tif 000002
【特許請求の範囲】
【請求項１】
外部からの入力電圧を受け、複数のファンモジュールを駆動するファンシステムであって、
第一ファンモジュールと、
第二ファンモジュールと、
前記入力電圧を受けて前記第一ファンモジュールを起動させる第一起動モジュールと、
前記入力電圧を受けるとともに、前記第二ファンモジュールに電気的に接続される第二起動モジュールと、
温度を感知してセンサー信号を発生するサーモエレメントと、
前記センサー信号によって前記第二起動モジュールをコントロールして、前記第二ファンモジュールを起動させるコントロールモジュールと、
を備えることを特徴とするファンシステム。
【請求項２】
前記第一起動モジュール及び前記第二起動モジュールは、それぞれ、
一端が前記入力電圧を受けて、対応するファンモジュールを起動させる第一スイッチと、
前記第一スイッチに電気的に接続され、前記第一スイッチをコントロールする第二スイッチと、
を備えることを特徴とする請求項１に記載のファンシステム。
【請求項３】
前記第一起動モジュール及び前記第二起動モジュールは、それぞれ、コンデンサーを備え、その一端が前記第一スイッチに電気的に接続されることを特徴とする請求項２に記載のファンシステム。
【請求項４】
前記第一起動モジュール及び前記第二起動モジュールは、それぞれ、少なくとも１個のダイオードを備え、その第一端が前記入力電圧を受け、さらに、その第二端が前記第一スイッチに電気的に接続されることを特徴とする請求項２に記載のファンシステム。
【請求項５】
前記第一スイッチ及び前記第二スイッチは、それぞれ、トランジスタであることを特徴とする請求項３に記載のサーモ起動モジュール。
【請求項６】
前記第一コントロールモジュールは、第一入力端子、第二入力端子及び出力端子を有する第一コンパレーターを備え、前記第一入力端子が第一リファレンス信号を受け、前記第二入力端子が前記センサー信号を受け、前記出力端子が前記第二起動モジュールに電気的に接続されることで、前記第二起動モジュールをコントロールして、前記第二ファンモジュールを起動させることを特徴とする請求項１に記載のファンシステム。
【請求項７】
前記第一入力端子が非反転入力端子で、前記第二入力端子が反転入力端子であることを特徴とする請求項６に記載のファンシステム。
【請求項８】
前記サーモエレメントがサーミスタ（Thermistor）であることを特徴とする請求項１に記載のファンシステム。
【請求項９】
前記第一ファンモジュール及び前記第二ファンモジュールは、それぞれ、少なくとも１個のファンを有することを特徴とする請求項１に記載のファンシステム。
【請求項１０】
第三ファンモジュールと、
前記入力電圧を受けるとともに、前記第三ファンモジュールに電気的に接続される第三起動モジュールと、
前記センサー信号によって前記第三起動モジュールをコントロールして、前記第三ファンモジュールを起動させる第二コントロールモジュールと、
を、さらに備えることを特徴とする請求項１に記載のファンシステム。
【請求項１１】
前記第二コントロールモジュールは、第一入力端子、第二入力端子及び出力端子を有する第二コンパレーターを備え、前記第一入力端子が第二リファレンス信号を受け、前記第二入力端子が前記センサー信号を受け、前記出力端子が前記第三起動モジュールに電気的に接続されることで、前記第三起動モジュールをコントロールして、前記第三ファンモジュールを起動させることを特徴とする請求項１０に記載のファンシステム。
【請求項１２】
前記第二コンパレーターの前記第一入力端子が非反転入力端子で、前記第二コンパレーターの前記第二入力端子が反転入力端子であることを特徴とする請求項１１に記載のファンシステム。
【請求項１３】
外部からの入力電圧を受け、ファンモジュールを駆動するサーモ起動モジュールであって、
前記入力電圧を受けるとともに、前記ファンモジュールに電気的に接続される起動ユニットと、
温度を感知してセンサー信号を発生するサーモエレメントと、
前記センサー信号によって前記起動ユニットをコントロールして、前記ファンモジュールを起動させるコントロールユニットと、
を備えることを特徴とするサーモ起動モジュール。
【請求項１４】
前記起動ユニットは、
一端が前記入力電圧を受けて、前記ファンモジュールを起動させる第一スイッチと、
前記第一スイッチに電気的に接続され、前記第一スイッチをコントロールする第二スイッチと、
を備えることを特徴とする請求項１３に記載のサーモ起動モジュール。
【請求項１５】
前記起動ユニットはコンデンサーを備え、その一端が前記第一スイッチに電気的に接続されることを特徴とする請求項１４に記載のサーモ起動モジュール。
【請求項１６】
前記起動ユニットは、少なくとも１個のダイオードを備え、その第一端が前記入力電圧を受け、さらに、その第二端が前記第一スイッチに電気的に接続されることを特徴とする請求項１５に記載のサーモ起動モジュール。
【請求項１７】
前記第一スイッチ及び前記第二スイッチは、それぞれ、トランジスタであることを特徴とする請求項１５に記載のサーモ起動モジュール。
【請求項１８】
前記コントロールユニットは、第一入力端子、第二入力端子及び出力端子を有するコンパレーターを備え、前記第一入力端子が第一リファレンス信号を受け、前記第二入力端子が前記センサー信号を受け、前記出力端子が前記起動ユニットに電気的に接続されることで、前記起動ユニットをコントロールして、前記ファンモジュールを起動させることを特徴とする請求項１３に記載のサーモ起動モジュール。
【請求項１９】
前記第一入力端子が非反転入力端子で、前記第二入力端子が反転入力端子であることを特徴とする請求項１８に記載のサーモ起動モジュール。
【請求項２０】
前記サーモエレメントがサーミスタ（Thermistor）であることを特徴とする請求項１３に記載のサーモ起動モジュール。
【発明の詳細な説明】
【技術分野】
【０００１】
本発明は、ファンシステム及びサーモ起動モジュールに関し、特に複数のファンモジュールのそれぞれが起動する温度に差をつけたファンシステム及びサーモ起動モジュールに関する。
【背景技術】
【０００２】
一般に、大型の電子システムは、全てファンシステムを備えていて、電子システムが正常な動作温度を維持して、正常に運転できるようにしている。
図１に示したのは、従来のファンシステム１のブロック図である。ファンシステム１は、外部からの入力電圧Ｖｉｎを受けて、作動電圧とする。ファンシステム１は、主に複数のファンモジュール１１ａ〜１１ｃ及び複数の起動モジュール１２ａ〜１２ｃを備える。このうち、起動モジュール１２ａ〜１２ｃは入力電圧Ｖｉｎを受けるとともに、ファンモジュール１１ａ〜１１ｃを起動させて、放熱を行う。
【発明の開示】
【発明が解決しようとする課題】
【０００３】
しかしながら、従来のファンシステム１において、ファンモジュール１１ａ〜１１ｃが同時に起動する場合、起動の瞬間に極めて大きな起動電流（start-up current）と突入電流（inrush current）が発生して、電子システムあるいはファンシステム１が破損したり、予期しないエラーが発生したりする可能性がある。
【０００４】
上述の問題に鑑み、従来のファンシステム１において、アナログ式コントロールチップ１３を採用するか、あるいは、ソフトウェアを使ってコントロールし、時間差をつけてファンモジュール１１ａ〜１１ｃを順に起動させることによって、上記ファンシステム１の破損やエラーを回避するものがある。
【０００５】
しかしながら、アナログ式コントロールチップ１３は高価であり、ソフトウェアモジュールの設計構造は複雑である。故に、これらを備えたファンシステム１は、全体の生産コストが高くなるという欠点がある。
【０００６】
また、アナログ式コントロールチップ１３は、ファンモジュール１１ａ〜１１ｃの起動時間を遅くするだけで、ソフトスタート（soft-start）の機能を持たない。
【０００７】
そこで、本発明は、複数のファンモジュールのそれぞれが起動する温度に差をつけることによって、複数のファンモジュールが同時に起動することによるエラーを回避するとともに、節電をも行うことができるファンシステム及びサーモ起動モジュールを提供することを課題とする。
【課題を解決するための手段】
【０００８】
上記課題を解決するために、本発明のファンシステムは、第一ファンモジュール、第二ファンモジュール、第一起動モジュール、第二起動モジュール、サーモエレメント及び第一コントロールモジュールを備える。このうち、第一起動モジュールは外部からの入力電圧を受けて第一ファンモジュールを起動させ、第二起動モジュールは当該入力電圧を受けるとともに、第二ファンモジュールに電気的に接続される。また、サーモエレメントは、温度を感知してセンサー信号を発生させ、第一コントロールモジュールは、このセンサー信号によって第二起動モジュールをコントロールして、ファンモジュールを起動させることを特徴とする。
【０００９】
また、上記課題を解決するために、本発明のサーモ起動モジュールは、外部からの入力電圧を受けて、ファンモジュールを駆動することを特徴とする。このサーモ起動モジュールは、起動ユニット、サーモエレメント、コントロールユニットを備える。このうち、起動ユニットは、入力電圧を受けるとともに、ファンモジュールに電気的に接続される。また、サーモエレメントは温度を感知してセンサー信号を発生させ、コントロールユニットは、このセンサー信号によって起動ユニットをコントロールして、ファンモジュールを起動させることを特徴とする。
【発明の効果】
【００１０】
本発明のファンシステム及びサーモ起動モジュールによれば、サーモエレメントがセンサー信号を発生させることにより、コントロールモジュールがなる温度においてそれぞれファンモジュールを起動させて、ファンモジュールの複数同時起動に伴う極めて大きな起動電流と突入電流によるエラーを防止することができる。また、従来の技術と比較して、本発明のファンシステム及びサーモ起動モジュールは、サーモエレメントが動作温度を感知し、それに対応する十分な数量のファンモジュールを起動させるので、確実に電子システム及びファンシステムを正常に作動させることができる。また、本発明のファンシステム及びサーモ起動モジュールによれば、節電をも行うことができ、さらに、アナログ式起動コントロールチップを使用しないので、コストを下げることもできる。
【発明を実施するための最良の形態】
【００１１】
以下、図面を参照しながら、本発明のファンシステム及びサーモ起動モジュールの好適な実施例について説明する。
【００１２】
まず、図２を参照して、本発明の好適な実施例のファンシステムについて説明する。ファンシステム２は、外部からの入力電圧９１を受けて、作動電圧とする。さらに、ファンシステム２は電子システム（図には示されていない）内部に備えられて放熱を行う。また、入力電圧９１は電子システムにも供給される。
【００１３】
ファンシステム２は複数のファンモジュール２１ａ〜２１ｃ、複数の起動モジュール２２ａ〜２２ｃ、複数のコントロールモジュール２３ａ、２３ｂ及びサーモエレメント２４を備える。
【００１４】
ファンモジュール２１ａ〜２１ｃは、それぞれファンを有する。放熱の必要に応じて、ファンモジュール２１ａ〜２１ｃは、それぞれ複数のファンを有し、放熱効果が高められる。
【００１５】
起動モジュール２２ａ〜２２ｃは、入力電圧９１を受けて、さらに、ファンモジュール２１ａ〜２１ｃに電気的に接続される。
【００１６】
サーモエレメント２４は感知した温度によって、センサー信号Ｖｔ（電圧値）を発生させる。本実施例において、サーモエレメント２４は負の温度係数を持つサーミスタ（Thermistor）である。感知された温度は、電子システムの内部温度であり、サーモエレメント２４は、その内部温度によって対応するセンサー信号Ｖｔを発生させる。本実施例中の負の温度係数を持つサーミスタ自身の特性により、例えば、電子システム内部の温度が上がった時、サーモエレメント２４自身の抵抗値が小さくなり、センサー信号の電圧値Ｖｔもそれに伴い下がる。逆に、電子システム内部の温度が下がった時、センサー信号の電圧値Ｖｔはそれに伴って上がる。
【００１７】
コントロールモジュール２３ａ、２３ｂは、それぞれ起動モジュール２２ｂ、２２ｃに電気的に接続されている。本実施例では、起動モジュール２２ａが入力電圧９１を受けて、ファンモジュール２１ａを起動させる。そして、コントロールモジュール２３ａ、２３ｂは、センサー信号Ｖｔによってそれぞれ起動モジュール２２ｂ、２２ｃをコントロールして、ファンモジュール２１ｂ、２１ｃを起動させる。
【００１８】
図３を参照すると、起動モジュール２２ａ〜２２ｃは、それぞれ複数のダイオードＤ１、Ｄ２、複数の抵抗器Ｒ１、Ｒ２、２つのスイッチＱ１、Ｑ２、コンデンサーＣを備える。このうち、第一スイッチＱ１及び第二スイッチＱ２は、トランジスタあるいはその他のスイッチ機能を持つ電子素子である。本実施例において、第一スイッチＱ１は、ＰＭＯＳトランジスタであり、第二スイッチＱ２はＮＭＯＳトランジスタである。
【００１９】
ダイオードＤ１、Ｄ２は並列に接続されていて、これらの第一端は入力電圧９１に接続されている。本実施例におけるダイオードＤ１、Ｄ２は、ショットキー・ダイオード（Schottky Diodes）で、電流の逆流を防ぐ。抵抗器Ｒ１の第一端はダイオードＤ１、Ｄ２の第二端に電気的に接続されている。
【００２０】
第一スイッチＱ１のＳ極はダイオードＤ１、Ｄ２の第二端に電気的に接続され、第一スイッチＱ１のＤ極は対応するファンモジュール２１ａ、２１ｂあるいは２１ｃに電気的に接続されている。第一スイッチＱ１のＧ極は、抵抗器を介してダイオードＤ３の第二端に電気的に接続され、さらに、ダイオードＤ３の第一端は、第二スイッチＱ２のＤ極に電気的に接続されている。
【００２１】
第二スイッチＱ２のＤ極は抵抗器Ｒ１の第二端に電気的に接続されている。そして、第二スイッチＱ２のＳ極は接地されている。コンデンサーＣの第一端は第一スイッチＱ１のＳ極に電気的に接続され、第二端はダイオードＤ３の第二端に電気的に接続されている。抵抗器Ｒ２の第一端はコンデンサーＣの第二端に電気的に接続されている。そして、抵抗器Ｒ２の第二端は接地されている。
【００２２】
コントロールモジュール２３ａ、２３ｂはそれぞれコンパレーターＵ１、Ｕ２を備え、このコンパレーターＵ１、Ｕ２は、それぞれ第一入力端子ｉｎｐｕｔ１、第二入力端子ｉｎｐｕｔ２及び出力端子ｏｕｔｐｕｔを備える。このうち、第二入力端子ｉｎｐｕｔ２と出力端子ｏｕｔｐｕｔは、抵抗器Ｒを介して電気的に接続されている。本実施例において、第一入力端子ｉｎｐｕｔ１は非反転入力端子で、第二入力端子ｉｎｐｕｔ２は反転入力端子である。
【００２３】
コントロールモジュール２３ａでは、コンパレーターＵ１の第一入力端子ｉｎｐｕｔ１が第一リファレンス電圧Ｖｒｅｆ１を受け、第二入力端子ｉｎｐｕｔ２は抵抗器を介してセンサー信号Ｖｔを受け、さらに、出力端子ｏｕｔｐｕｔが起動モジュール２２ｂの第二スイッチＱ２のＧ極に抵抗器を介して電気的に接続されることによって、起動モジュール２２ｂの第二スイッチＱ２をコントロールするようになっている。本実施例において、センサー信号Ｖｔが第一リファレンス信号Ｖｒｅｆ１より低い時、出力端子ｏｕｔｐｕｔは正の電圧信号を出力して、起動モジュール２２ｂの第二スイッチＱ２をＯＮにし、ファンモジュール２１ｂを起動させる。
【００２４】
コントロールモジュール２３ｂでは、コンパレーターＵ２の第一入力端子ｉｎｐｕｔ１が第二リファレンス電圧Ｖｒｅｆ２を受け、第二入力端子ｉｎｐｕｔ２は抵抗器を介してセンサー信号Ｖｔを受け、さらに、出力端子ｏｕｔｐｕｔが起動モジュール２２ｃの第二スイッチＱ２のＧ極に抵抗器を介して電気的に接続されることによって、起動モジュール２２ｃの第二スイッチＱ２をコントロールするようになっている。本実施例において、センサー信号Ｖｔが第二リファレンス信号Ｖｒｅｆ２より低い時、出力端子ｏｕｔｐｕｔが正の電圧信号を出力して、起動モジュール２２ｃの第二スイッチＱ２をＯＮにすることで、ファンモジュール２１ｃを起動させる。なお、本実施例において、第二リファレンス信号Ｖｒｅｆ２が第一リファレンス信号Ｖｒｅｆ１より低い場合、電子システムの内部温度が上昇すると、先にファンモジュール２２ｂが起動することになる。
【００２５】
ファンシステム２の作動方式は以下の通りである。ファンシステム２が電子システムに接続されると、ファンシステム２は入力電圧９１を受ける。この時、起動モジュール２２ａのダイオードＤ１、Ｄ２が入力電圧９１を受けて、スイッチＱ２をＯＮにする。そして、コンデンサーＣが充電を始め、コンデンサーＣの両端の電圧がスイッチＱ１の起動電圧に達した時、スイッチＱ１がＯＮになり、ファンモジュール２１ａを起動させる。ここで注意すべきなのは、コンデンサーＣと抵抗器Ｒ２の充電回路によって、ファンモジュール２１ａに印加される電流は、比較的緩やかに増していくので、このファンシステム２はソフトスタート効果を有するという点である。
【００２６】
電子システムが起動してからしばらくの間は、内部温度があまり上がっていないため、センサー信号Ｖｔは、第一リファレンス信号Ｖｒｅｆ１と第二リファレンス信号Ｖｒｅｆ２より低くなってはいない。この時、ファンモジュール２２ｂ、２２ｃはまだ起動していない。その後、電子システムが作動して一定の時間が経つと、電子システムの内部温度は上昇を始め、センサー信号Ｖｔの電圧値は下がる。センサー信号Ｖｔが第一リファレンス信号Ｖｒｅｆ１より低い時、コントロールモジュール２３ａが起動モジュール２２ｂをコントロールして、ファンモジュール２１ｂを起動させる。
【００２７】
同様に、電子システムの内部温度が引き続き上昇して、センサー信号Ｖｔが第二リファレンス信号Ｖｒｅｆ２より低くなった場合には、コントロールモジュール２３ｂが起動モジュール２２ｃをコントロールしてファンモジュール２１ｃを起動させる。このようにして、ファンモジュール２１ａ〜２１ｃのそれぞれが起動する温度に差をつけることによって、大きな起動電流及び突入電流によるエラーが発生するのを防ぐのと同時に、放熱及び節電を達成することができる。
【００２８】
また、本実施例におけるファンシステム２は、あらかじめ予備の放熱設備を備えることができる。電子システムの負荷が増加した（多くの熱エネルギーを発生させた）時、予備の放熱設備（ファンモジュール）が起動して、より高い放熱作用を発揮して、電子システムが正常に作動するようにする。
【００２９】
例えば、電子システムは、元々１個のファンモジュール２２ａで正常に作動していたとする。前述のように、本実施例におけるファンシステム２には、あらかじめ３個のファンモジュール２２ａ〜２２ｃが設置されている。このうち、ファンモジュール２２ｂ、２２ｃは、予備のファンモジュールと見なされる。この構成によれば、電子システムの負荷が増加して、電子システムの内部温度がそれに伴って上昇すると、ファンシステム２は、サーモエレメント２４が温度の変化を感知することにより、ファンモジュール２２ｂ、２２ｃを起動させて、放熱効果を上げ、電子システムの正常な作動を維持させることができる。
【００３０】
次に、図４を参照して、本発明のサーモ起動モジュールについて説明する。サーモ起動モジュール３は、外部からの入力電圧９１を受けて、ファンモジュール３１を駆動するものである。サーモ起動モジュール３は、起動ユニット３２、コントロールユニット３３及びサーモエレメント３４を備える。このうち、ファンモジュール３１、起動ユニット３２、コントロールユニット３３及びサーモエレメント３４は、上述のファンモジュール２１ｂ、起動モジュール２２ｂ、コントロールモジュール２３ａ及びサーモエレメント２４と同様の構造及び機能を備えるため、ここでは説明を省略する。
【００３１】
上述の通り、本発明のファンシステム及びサーモ起動モジュールは、サーモエレメントが発生させるセンサー信号によって、コントロールモジュールが異なる温度においてそれぞれファンモジュールを起動させて、ファンモジュールの複数同時起動に伴う極めて大きな起動電流と突入電流によるエラーを防止する。従来の技術と比較して、本発明のファンシステム及びサーモ起動モジュールは、サーモエレメントが動作温度を感知し、さらに、それに対応して十分な数のファンモジュールを起動させて、確実に電子システム及びファンシステムを正常に作動させることができる。また、本発明のファンシステム及びサーモ起動モジュールは、節電を行うことにもなるので、環境保護の理念に基づいたエコ製品である。また、本発明のファンシステム及びサーモ起動モジュールは、アナログ式コントロールチップを使用しないので、生産コストを低く抑えることが可能である。さらに、本発明のファンシステムは、あらかじめ予備の放熱設備を持つという特長を備えるため、フレキシブルな利用が可能である。
【００３２】
以上、本発明の実施例につき図面を参照して詳述してきたが、具体的な構成は、これらの実施例に限られるものではなく、本発明の要旨を逸脱しない範囲の設計変更などがあっても、本発明に含まれる。
【図面の簡単な説明】
【００３３】
【図１】従来のファンシステムを示すブロック図である。
【図２】本発明の好適な実施例のファンシステムを示すブロック図である。
【図３】本発明の好適な実施例のファンシステムを示す回路図である。
【図４】本発明の好適な実施例のセンサーモジュールを示すブロック図である。
【符号の説明】
【００３４】
１    ファンシステム
１１ａ〜１１ｃ    ファンモジュール
１２ａ〜１２ｃ    起動モジュール
Ｖｉｎ    入力電圧
１３    アナログ式コントロールチップ
２    ファンシステム
９１    入力電圧
２１ａ〜２１ｃ    ファンモジュール
２２ａ〜２２ｃ    起動モジュール
２３ａ、２３ｂ    コントロールモジュール
２４    サーモエレメント
Ｄ１、Ｄ２、Ｄ３    ダイオード
Ｒ１、Ｒ２、Ｒ    抵抗器
Ｑ１、Ｑ２    スイッチ
Ｃ    コンデンサー
Ｓ    Ｓ極
Ｇ    Ｇ極
Ｄ    Ｄ極
Ｖｔ    センサー信号
Ｖｒｅｆ１    第一リファレンス信号
Ｖｒｅｆ２    第二リファレンス信号
Ｕ１、Ｕ２    コンパレーター
３    サーモ起動モジュール
３１    ファンモジュール
３２    起動ユニット
３３    コントロールユニット
３４    サーモエレメント
【図１】
2007134723.tif 000003
【図２】
2007134723.tif 000004
【図３】
2007134723.tif 000005
【図４】
2007134723.tif 000006